【手続補正書】
【提出日】平成18年3月22日(2006.3.22)
【手続補正１】
【補正対象書類名】特許請求の範囲
【補正対象項目名】全文
【補正方法】変更
【補正の内容】
【特許請求の範囲】
【請求項１】
ケース体の取付ボス部とカバー体の筒部とを締結手段で締結することにより、ケース体とカバー体とが分離不能に結合され、内部に制御基板を収納するパチンコ機の制御基板収納ボックスであって、  前記筒部は、その底部に挿通口を有する共に前記カバー体に支持部を介して連結されており、 前記締結手段は、前記挿通口を介して前記筒部と前記取付ボス部とを結合するものであり、 さらに、締結手段によって前記筒部と前記取付ボス部とが結合された状態では、前記締結手段の頭部が前記筒部の外方に突出しない状態で結合されており、 前記支持部を切断することにより、前記締結手段が前記筒部と前記取付ボス部とを結合したままの状態で、前記ケース体と前記カバー体とを分離できるように構成したことを特徴とするパチンコ機の制御基板収納ボックス。 
【手続補正２】
【補正対象書類名】明細書
【補正対象項目名】全文
【補正方法】変更
【補正の内容】
【発明の詳細な説明】
【発明の名称】パチンコ機の制御基板収納ボックス
【技術分野】
【０００１】
この発明は、パチンコ機の制御基板収納ボックスに関する。    
【背景技術】
【０００２】
従来より、制御基板の不正改造、例えば不正ＲＯＭの交換を防止するために、制御基板を収納する制御基板収納ボックスには様々な工夫が施されているが、一般的にはカバー体をケース体にビス止めして固定し、その上で両者間に封印シールを貼り付けておくことにより、カバー体の開放そのものを禁止して制御基板の不正改造を防止するとともに、万一カバー体が開けられて不正改造が行われた場合には、封印シールが切断されていることから容易に不正行為が行われた事実を発見できるようにしていた。    
【発明の開示】
【発明が解決しようとする課題】
【０００３】
しかしながら、上記従来の方法では、封印シールさえ剥がせばカバー体を開けることができるので、比較的容易に制御基板の不正改造を行うことができてしまうという問題があり、また不正改造後、封印シールを巧妙に再度貼り付ければ、不正改造の事実を発見することも困難になってしまうという問題があった。    
【０００４】
そこで、本発明は、制御基板の不正改造をより確実に防止し得るパチンコ機の制御基板収納ボックスを提供することを目的とする。    
【課題を解決するための手段】
【０００５】
前記課題を解決する請求項１の発明は、ケース体の取付ボス部とカバー体の筒部とを締結手段で締結することにより、ケース体とカバー体とが分離不能に結合され、内部に制御基板を収納するパチンコ機の制御基板収納ボックスであって、前記筒部は、その底部に挿通孔を有する共に前記カバー体に支持部を介して連結されており、前記締結手段は、前記挿通孔を介して前記筒部と前記取付ボス部とを結合するものであり、さらに、締結手段によって前記筒部と前記取付ボス部とが結合された状態では、前記締結手段の頭部が前記筒部の外方に突出しない状態で結合されており、前記支持部を切断することにより、前記締結手段が前記筒部と前記取付ボス部とを結合したままの状態で、前記ケース体と前記カバー体とを分離できるように構成としたことを特徴とするパチンコ機の制御基板収納ボックスである。    
【発明の効果】
【０００６】
この請求項１記載のパチンコ機の制御基板収納ボックスによると、ケース体の取付ボス部とカバー体の筒部とが締結手段で締結されると共に、締結手段によって前記筒部と前記取付ボス部とが結合された状態では、前記締結手段の頭部が前記筒部の外方に突出しない状態で結合されているため、制御基板のＲＯＭ交換等の不正改造をするためにはカバー体と筒部とを連接する支持部を破壊させなければならず、このため不正改造されたとしても支持部の破壊の痕跡が明らかに残ることになるので、従来に比べ、制御基板の不正改造をより確実に防止することができる。
【発明を実施するための最良の形態】
【０００７】
本発明の実施の形態１について説明する。〔実施の形態１〕  実施の形態１について図１〜図１２に基づいて説明する。パチンコ機において、制御基板収納ボックスＢは、遊技盤の裏面に組付けられる図示しない裏カバーに取外し可能に結合されて遊技盤の後側に設置される。    
【０００８】
制御基板収納ボックスＢは、図１〜図３に示すように制御基板３が内部に装入された状態で垂直状に設置されて合成樹脂材で後方開放の浅箱状に成形されたケース体１と、制御基板３をその背後から覆って制御基板３の下端縁付近および一方の側縁付近を外部に露出した状態でケース体１に重ね合わされてケース体１の後側に設置され、透明な合成樹脂材で前方開放の箱型状に成形されたカバー体２とによって形成されている。    
【０００９】
図４に示すようにケース体１にはその前端に垂立された前壁板４と、この前壁板４の周縁部に制御基板３を包囲した状態で一体状に連接されて後方へ突出された周壁部５とが形成され、制御基板３は前壁板４の後面に凸設された突片４ａにねじ止めされてケース体１内に密嵌状に嵌め込まれている。    
【００１０】
ケース体１の周壁部５の内壁面には、制御基板３の周縁部を支える段部５ａが段差状に形成されている。ケース体１の周壁部５の左右側面には、ケース体１を支持する図示しない１対の支持部材の孔部に係合する上下１対の係合片７がそれぞれ凸設されている。    
【００１１】
ケース体１の周壁部５には、この周壁部５のうち、制御基板３の下端縁付近にこの下端縁に沿って取り付けられてカバー体２の外部に露出された複数個のコネクタ３０〜３０から最も離れた上壁部と、制御基板３の一方の側縁付近にこの側縁に沿って取り付けられてカバー体２の外部に露出された電源用コネクタ３１およびヒューズ３２から最も離れた一方の側壁部とにわたって各コネクタ３０，３１およびヒューズ３２を避けた状態で設置されて制御基板３の後面の後方へ突出された前突き合わせ壁８が形成されている。    
【００１２】
前突き合わせ壁８は、制御基板３の上端縁に沿って水平状に設置された横壁板８ａと、制御基板３の他方の側縁に沿って垂直状に設置された縦壁板８ｂとが直交状に連接されて形成されている。    
【００１３】
前突き合わせ壁８の後端には、同一垂直平面内に配置された前合わせ面９が形成されている。    
【００１４】
ケース体１の前壁板４の上面（図４において下面）には、カバー体２をケース体１に固定するための締結ビス４０（図１参照）がねじ込まれる取付ボス部３３が突設されている。    
【００１５】
また、前突き合わせ壁８には、その横壁板８ａの両端付近および縦壁板８ｂの下端付近にそれぞれ配設された３個の係止部１０が形成され、この各係止部１０には後端縁が前合わせ面９に整合されかつ先端縁が前合わせ面９の若干前方に配設されて前突き合わせ壁８の内壁面に整合された爪片１０ａが突出形成されている。    
【００１６】
前突き合わせ壁８には各係止部１０の前側にそれぞれ隣設された３個の孔部８ｃが形成されている。    
【００１７】
前突き合わせ壁８には前合わせ面９に一体状に連接されて後方へ水平状に突出され、各係止部１０の近傍にそれぞれ配設された３個のピン状の位置決め突起１１が形成されている。    
【００１８】
次に、カバー体２には、その後端に垂立された後壁板１５と、この後壁板１５の周縁部に一体状に連接されて前方へ突出された周壁部１６とが形成されている。    
【００１９】
カバー体２の後壁板１５には、横方向へ配列された複数個の放熱孔３４が開設されるとともに、後壁板１５にはその前面に連接されて前方へ突出された円筒状のスイッチ防護壁３５が形成され、このスイッチ防護壁３５内にはスイッチホルダ３６によって制御基板３に取り付けられたキースイッチ３７の後部が挿入され、カバー体２をケース体１に結合すると、スイッチ防護壁３５の前端縁がスイッチホルダ３６に押し付けられる。    
【００２０】
カバー体２の周壁部１６にはケース体１の前突き合わせ壁８の後側に突き合わせ状に設置された後突き合わせ壁１７が周壁部１６のうちの上壁部と一方の側壁部とにわたって形成されている。    
【００２１】
後突き合わせ壁１７には前突き合わせ壁８の横壁板８ａの後側に水平状に設置された横壁板１７ａと、前突き合わせ壁８の縦壁板８ｂの後側に垂直状に設置された縦壁板１７ｂとが形成されている。    
【００２２】
後突き合わせ壁１７の前端には前合わせ面９に接して重ね合わされる後合わせ面１８が形成されている。    
【００２３】
後突き合わせ壁１７には後合わせ面１８に連接されてその前方へ突出され、ケース体１の各係止部１０に解離可能に係止される３個の被係止部１９が各係止部１０にそれぞれ対向して弾性曲げ変形可能に形成されている。    
【００２４】
各被係止部１９の前端には後合わせ面１８の若干前方に配設されて係止部１０の爪片１０ａに解離可能に掛合される爪片１９ａがそれぞれ突設されている。    
【００２５】
後突き合わせ壁１７には各係止部１０と各被係止部１９との掛合状態が解離される方向へのカバー体２の動きを位置決め突起１１と協仂して阻止してケース体１とカバー体２とを位置合わせする３個の案内部２０が各位置決め突起１１にそれぞれ対向して形成されている。    
【００２６】
各案内部２０には水平な中心軸を有し、位置決め突起１１が脱出可能に嵌め合わされるガイド孔２０ａがそれぞれ凹設されている。    
【００２７】
各位置決め突起１１の前部をそれぞれ後案内部２０のガイド孔２０ａ内に挿入した状態でカバー体２を前方へ押込むと、カバー体２が各位置決め突起１１および各案内部２０によって案内されて被係止部１９の曲げ弾発力に抗して前方へ直進し、前後合わせ面９，１８が接して各被係止部１９が各係止部１０に掛合する。    
【００２８】
なお、前突き合わせ壁８に被係止部１９を形成し、後突き合わせ壁１７に係止部１０を形成してもよい。また、前突き合わせ壁８に案内部２０を形成し、後突き合わせ壁１７に位置決め突起１１を形成してもよい。    
【００２９】
次に、前記制御基板収納ボックスＢに設けられた結合手段について説明する。結合手段は、図１１（ａ）に結合部の断面図を示すように締結ビス４０とプラグ４１とからなる。この締結ビス４０とプラグ４１とによる結合部分の構造について詳述する。カバー体２には、ケース体１の取付ボス部３３に対応する有底円筒状の円筒部４２が形成されている。円筒部４２は、前記取付ボス部３３に制御基板３を間にして対向している。円筒部４２及び制御基板３には、取付ボス部３３の取付孔３３ａと同一軸線上にほぼ位置する挿通孔４２ａ，３ａが設けられている。締結ビス４０は、皿形の十字孔付き頭部をもつビスからなり、カバー体２の円筒部４２の挿通孔４２ａ及び制御基板３の挿通孔３ａを通してケース体１の取付ボス部３３の取付孔３３ａにネジ付けられ、ケース体１とカバー体２とを締結している。なお締結ビス４０は、本発明でいう締結手段に相当している。    
【００３０】
前記ケース体１の円筒部４２内には、前記締結ビス４０の締結後に図１１（ｂ）に斜視図で示すような円柱状をしたプラグ４１が同図（ａ）に示すように圧入によって嵌着されている。このため前記締結ビス４０に対する締結解除作用が防止されるため、締結ビス４０が取り外せなくなり、よってカバー体２が開けれない。なおプラグ４１は、本発明でいう締結解除防止手段に相当している。    
【００３１】
また、カバ
ー体２の円筒部４２の周囲には同一円周上に位置する円弧状の第１スリット孔４４が断続的に複数（図では４個で例示した）形成されている。これによって円筒部４２とそれ以外のケース部分とが第１スリット孔４４の間の支持部分（図１及び図５に符号４５を記し、第１支持部という）によって連設されている。またカバー体２の円筒部４２における底面近くの円筒部には、一円周上に位置する第２スリット孔４７が断続的に複数（例えば４個）形成されている。これによって円筒部４２底部とそれ以外の円筒部４２部分とが第２スリット孔４７の間の支持部分（図示省略し、第２支持部という）によって連設されている。    
【００３２】
また、図１〜図３に示すようにカバー体２の周縁３箇所には、不正改造防止用の封印シールを貼り付けるための封印シール貼り付け部２３〜２３が設けられている。同貼り付け部２３の周囲には突条２３ａが形成されており、これにより貼り付けた封印シール（図示省略）の端部を遮蔽することにより、一旦貼り付けた封印シールを簡単には剥がせないようになっている。    
【００３３】
以上のように構成された制御基板収納ボックスＢによれば、ケース体１に制御基板３をセットし、これに被せるようにしてカバー体２を取り付けた状態で、締結ビス４０を締め込んでプラグ４１を嵌着し、かつ封印シールを所定の部位に貼り付けることにより、ボックス内部に制御基板３が収納される。この状態で、当該制御基板収納ボックスＢがパチンコ機の裏面に設置される。    
【００３４】
上記したパチンコ機の制御基板収納ボックスＢによると、ケース体１とカバー体２とが締結ビス４０とプラグ４１とによる結合手段により分離不能に結合されているため、制御基板３のＲＯＭ交換等の不正改造をするためには前記締結ビス４０とプラグ４１とによる結合部分を破壊させなければならず、このため不正改造されたとしても結合部分の破壊の痕跡が明らかに残ることになる。したがって従来に比べ、制御基板３の不正改造をより確実に防止することができる。    
【００３５】
また、ケース体１とカバー体２とを締結ビス４０で締結した後にプラグ４１を設けるといった簡単な構造により、ケース体１とカバー体２とを分離不能に結合することができ、このためコスト低減に有利である。なお締結ビス４０が本発明でいう締結手段に相当し、プラグ４１が同じく締結解除防止手段に相当する。    
【００３６】
なお、当局の立ち入り検査等の場合において、カバー体２を正当な理由の下に外したい場合には、図１および図１１に示すようにカバー体２の円筒部４２の周囲の第１スリット孔４４〜４４の相互間の第１支持部４５をすべて切断すれば、円筒部４２とそれ以外のカバー部分とに分離することができ、これにより締結ビス４０を締め込んだままカバー体２を簡単に外すことができる。なお円筒部４２が本発明でいう筒部に相当している。    
【００３７】
また、不正改造の目的で第１支持部４５を切断した場合には、これを目視により簡単に発見することができ、この意味において間接的に不正改造の防止を図ることができる。    
【００３８】
更に、制御基板３をケース体１から外したい場合には、前記のようにカバー体２を開けた後、第２スリット孔４７〜４７の相互間の支持部を前記第１支持部４５と同様に切断することにより、円筒部４２を底部とそれ以外の部分とに分離することができ、これにより締結ビス４０をドライバー等の工具により取外すことが可能になり、ケース体１から制御基板３を取外すことができる。    
【００３９】
また、前記プラグ４１に図１２（ｂ）に示すように係合段部５０を形成し、また円筒部４２の内周面には同図（ａ）に示すように前記プラグ４１の係合段部５０に対応する係止段部５１を形成すると、プラグ４１を円筒部４２に嵌入させることによって係合段部５０と係止段部５１とが係合し、プラグ４１の不正な抜き取りを一層確実に防止することができる。    
【００４０】
なお、本実施の形態ではケース体１の周壁部５には制御基板３の端縁付近に取り付けられてカバー体２の外部に露出されたコネクタ３０，３１を避けた位置に配設された前突き合わせ壁８を形成し、カバー体２の周壁部１６には前突き合わせ壁８の後側に突き合わせ状に設置される後突き合わせ壁１７を形成し、後突き合わせ壁１７には前突き合わせ壁８に設けた係止部１０に前後合わせ面９，１８から離れた位置で弾発力によって解離可能に係止される被係止部１９を設けるとともに、前突き合わせ壁８には後突き合わせ壁１７に設けた案内部２０に嵌め合わされて係止部１０と被係止部１９との掛合状態が解離される方向へのカバー体２の動きを阻止する位置決め突起１１が設けられている。    
【００４１】
このため、カバー体２をケース体１に重ね合わせるときにカバー体２が案内部２０と位置決め突起１１とによって案内されて被係止部１９の弾発力に抗して直進するので、カバー体２の逃げ挙動をなくして係止部１０と被係止部１９とを円滑に掛合させ、カバー体２をケース体１に容易に係止することができるとともに、係止部１０と被係止部１９とが掛合した状態ではこの掛合状態が解離される方向へのカバー体２の逃げ挙動を案内部２０と位置決め突起１１とによって阻止することができるので、係止部１０と被係止部１９との掛合状態を強化および安定化することができる。    
【００４２】
また、ケース体１とカバー体２との相対位置を案内部２０と位置決め突起１１とによって常に規正してカバー体２をケース体１に係止することができる。    
【００４３】
さらに、係止部１０と被係止部１９とが制御基板３の配線用電気部品を避けた位置で掛合するので、制御基板３への配線を係止部１０および被係止部１９によって阻害されずに行うことができる。    
【００４４】
〔実施の形態２〕  実施の形態２について図１３の説明図を参照して説明する。本実施の形態２は実施の形態１の一部を変更したものであるからその変更部分について詳述し、実施の形態１と同一もしくは実質的に同一構成と考えられる部分には同一符号を付して重複する説明は省略する。なお後述する実施の形態３についても同様の考えで重複する説明は省略する。また実施の形態２，３の場合、実施の形態１における第２スリット孔４７は排除されている。    
【００４５】
本実施の形態２は、図１３（ｂ）に正面図でまた同（ｃ）に斜視図で示すように、締結ビス（符号５３を付す）として、その頭部５４にドライバー等の回動操作部材と係合する係合部５５と、ドライバー等の回動操作部材の所定以上の締め付け力によって剪断するくびれ部５６を備えるシャービスとも呼ばれるネジ部材を使用するものである。    
【００４６】
前記締結ビス５３は、図１３（ａ）の断面図に示すように、カバー体２の円筒部４２の挿通孔４２ａ及び制御基板３の挿通孔３ａを通してケース体１の取付ボス部３３の取付孔３３ａにネジ付けられ、ケース体１とカバー体２とを締結する。そして締結が完了し、くびれ部５６に回動操作部材による所定以上の締め付け力が加わると、そのくびれ部５６に剪断を生じ、図１３（ｄ）に示されるように係合部５５がビス５３側から分離されることになる。すると、図１３（ａ）に示すように締結ビス５３から係合部５５が無くなり、山形の頭部５４が残るだけで、その頭部５４に対する締結解除操作ができなくなる。本実施の形態によると、実施の形態１のようにプラグ４１といった別部品の締結解除防止手段を設ける必要がなくて済むので、部品点数を削減することができる。    
【００４７】
また前記締結ビス５３は、図１６に分解斜視図で示すように、制御基板上に設置されるＲＯＭ７０のＩＣソケット７１にカバー７２を取り付ける場合に使用することができる。この場合もカバー７２の取り付け後は、前記したように締結ビス５３に対する締結解除操作ができなくなるため、カバー７２の取り外しが困難であり、ＲＯＭ７０の不正改造を防止することができる。    
【００４８】
〔実施の形態３〕  実施の形態３について図１４の説明図を参照して説明する。図１４（ａ）の断面図に示されるように、ケース体１とカバー体２との接合面が全周あるいは部分的に超音波加熱溶接によって溶着されている。なお溶着部分に符号５８を記した。    
【００４９】
また締結ビス４０，５３に代えて、図１４（ｂ）に正面図で示す連結ピン６０が使用されている。連結ピン６０は、軸部６１の先端部に凹部６２をもつ頭付き軸部材からなる。この軸部６１はケース体１の取付ボス部３３の取付孔３３ａの孔径ｄよりやや大きい軸径ｄ1 とされ、またその凹部６２より先端の先端軸部６１ａは前記取付孔３３ａの孔径ｄとほぼ等しい軸径ｄ2 とされ、また凹部６２は先端軸部６１ａの軸径ｄ2 よりも小さい軸径（符号省略）で形成されている。また連結ピン６０の頭部６３は円板状でその上端面は平坦面となっている。    
【００５０】
前記連結ピン６０は、図１４（ａ）に示すように、カバー体２の円筒部４２の挿通孔４２ａ及び制御基板３の挿通孔３ａを通してケース体１の取付ボス部３３の取付孔３３ａに挿入するに際し、その頭部６３に超音波加熱溶接機の超音波振動子（図中、二点鎖線参照）６５による超音波振動が付与される。これによりケース体１の取付孔３３ａ周りの樹脂が溶融しつつ連結ピン６０が挿着される結果、ケース体１とカバー体２とが分離不能に締結され、かつ連結ピン６０の凹部６２には熱溶接による樹脂の一部が流入し硬化する。    
【００５１】
本実施の形態によると、ケース体１とカバー体２との接合面の溶着部５８、及びケース体１の取付ボス部３３に対する連結ピン６０の溶着部が熱溶接により分離不能に結合されているため、制御基板３の不正改造をするためには熱溶接による結合部分を破壊させなければならず、このため不正改造されたとしても結合部分の破壊の痕跡が明らかに残ることになる。したがって従来に比べ、制御基板３の不正改造をより確実に防止することができる。    
【００５２】
また、熱溶接が超音波加熱溶接であるので、溶接作業時に溶接部位のみ熱が発生し他の部位はほとんど熱くならないため、やけどの危険を免れることができる。    
【００５３】
また、連結ピン６０の凹部６２に樹脂が流入して硬化することにより、凹部６２をもたない連結ピンに比べてケース体１とカバー体２とを強固に固着することができる。なお連結ピン６０は本明細書でいう連結部材に相当している。また連結ピン６０としては、上記の他、図１５に正面図で示すように、軸部６１の外周面にローレット６４による凹部を形成したものを採用することができる。    
【００５４】
また上記したケース体１とカバー体２との接合面の溶着部５８による結合と、連結ピン６０を使用する結合とは、それぞれ単独の結合手段として採用することができる。    
【００５５】
〔実施の形態４〕  実施の形態４について制御基板収納ボックスの正面図を示した図１７に基づいて説明する。また説明に際しては、図１７の各部の断面図を示す図１８〜図２４を参照する。なお図１８は図１７のＸ１０−Ｘ１０線断面図、図１９は図１７のＸ１１−Ｘ１１線断面図、図２０は図１７のＸ１２−Ｘ１２線断面図、図２１は図１７のＸ１３−Ｘ１３線断面図、図２１は図１７のＸ１４−Ｘ１４線断面図、図２２は図１７のＸ１５−Ｘ１５線断面図、図２３は図１７のＸ１６−Ｘ１６線断面図である。    
【００５６】
本形態４の制御基板収納ボックス８０は、実施の形態１と同様にパチンコ機における遊技盤の裏面に組付けられる図示しない裏カバー（詳しくは役物保護カバーあるいは裏機構板などが相当する。）に取外し可能に結合されて遊技盤の後側に設置される。制御基板収納ボックス８０は、制御基板８３を収納する合成樹脂製のケース体８１とカバー体８２とを備えている。ケース体８１は、ほぼ四角形板状をなしており、その周縁部に前方へ立ち上がる上下左右の側壁８１ａ〜８１ｄを備えている。それらの側壁８１ａ〜８１ｄの立ち上がり高さは、上側壁８１ａと右側壁８１ｄは高くまた下側壁８１ｂと左側壁８１ｃは低く形成されている。（各断面図参照）。    
【００５７】
ケース体８１の左下部には、カバー体８２をネジ止めするための第１基
準ボス部８４が形成されている（図１８及び図２３参照）。またケース体８１の右側壁８１ｄの上部には、カバー体８２をネジ止めするための第２基準ボス部８５が突出状に形成されている（図２２参照）。    
【００５８】
ケース体８１の下側壁８１ｂと左側壁８１ｃとを連設する隅角部分の傾斜した側壁部（符号８１ｅを付す）及び上側壁８１ａの右部の計２箇所には、それぞれ先端部に第１取付ボス部８７を有する第１取付片８６が外向きに突出されている（図１８及び図１９参照）。これと同様に、ケース体８１の上側壁８１ａの左部及び右側壁８１ｄの下部の計２箇所には、それぞれ先端部に第２取付ボス部８９を有する第２取付片８８が突出されている（図１８及び図２１参照）。    
【００５９】
ケース体８１の左右の側壁８１ｃ，８１ｄには、それぞれ一対をなす係止ピン９０が突出されている。なお係止ピン９０は、遊技盤の裏カバー側に配置する左右のセットプレート９１（図１７、図２２及び図２４中の二点鎖線参照）の係合孔（図示省略）にそれぞれ係合され、これによりケース体８１を裏カバーに支持する。    
【００６０】
一方、カバー体８２は、前記ケース体８１より小さめのほぼ四角形板状をなしており、その周縁部に後方（裏方）へ立ち上がる上下左右の側壁８２ａ〜８２ｄを備えている。それらの側壁８２ａ〜８２ｄの立ち上がり高さは、前記ケース体８１とは反対に上側壁８２ａと右側壁８２ｄは低く、また下側壁８２ｂと左側壁８２ｃは高く形成されている。（各断面図参照）。なお上側壁８２ａと右側壁８２ｄは、ケース体８１とカバー体８２の結合時においてケース体８１の上側壁８１ａと右側壁８１ｄの内側に重合状に位置する。    
【００６１】
カバー体８２の裏面には、前記第１基準ボス部８４とほぼ同一軸線上に位置する第１基準ネジ座部９４を先端部に有する基準ネジ用円筒部９３が形成されている。（図１８及び図２３参照）。またカバー体８２には、前記第２基準ボス部８５とほぼ同一軸線上に位置する第２基準ネジ座部９５が形成されている（図２２参照）。    
【００６２】
カバー体８２には、前記ケース体８１の２箇所の第１取付片８６の第１取付ボス部８７とそれぞれほぼ同一軸線上に位置する第１取付ネジ座部９７を有する第１突出片９６が形成されている（図１８及び図１９参照）。これと同様に、カバー体８２には、前記ケース体８１の２箇所の第２取付片８８の第２取付ボス部８９とそれぞれほぼ同一軸線上に位置する第２取付ネジ座部９９を有する第２突出片９８が形成されている（図１８及び図２１参照）。また各突出片９６，９８の基端部には、それぞれほぼ楕円形状の開口孔１００を形成することにより脆弱な開封部１０１が設けられている。    
【００６３】
カバー体８２の上部左右の２個所と右下部の計３箇所には、制御基板８３をネジ止めするための基板取付ボス部１０３を先端部に有する取付ネジ用円筒部１０２がそれぞれ形成されている（図１９、図２０及び図２４参照）。    
【００６４】
カバー体８２の左上部と右下部の計２箇所には、実施の形態１と同様に、不正改造防止用の封印シールを貼り付けるための封印シール貼り付け部１０５が設けられている。同貼り付け部の周囲には突条１０５ａが形成されており、これにより貼り付けた封印シール（図示省略）の端部を遮蔽することにより、一旦貼り付けた封印シールを簡単には剥がせないようになっている。    
【００６５】
カバー体８２の右下部には、同一円周上に位置する円弧状のスリット孔１０６が断続的に複数（図では３個で例示した）形成されている（図１９参照）。このスリット孔１０６の相互間の脆弱部（符号省略）を切断することにより、例えば確率設定スイッチ用窓部を開口することができる。またカバー体８２の中央部には、機種名表示シールを貼り付けるための表示シール貼り付け部１０７が設けられている。またカバー体８２には複数の放熱孔１０８が適宜開口されている。    
【００６６】
制御基板８３は、前記ケース体８１周囲の側壁８１ａ〜８１ｅ内にほぼ隙間なく収納できる大きさ形状に形成されている。制御基板８３は、表面を実装面８３ａとし、裏面をハンダ面８３ｂとしている。前記実装面８３ａには、図示はしないがＲＯＭ、ＲＡＭ、ＩＣ等の電子部品が実装されている。    
【００６７】
制御基板８３には、前記カバー体８２の３箇所の基板取付ボス部１０３とそれぞれほぼ同一軸線上に位置する取付孔１１０が形成されている（図１９、図２０及び図２４参照）。また制御基板８３には、前記ケース体８１の第１基準ボス部８４とカバー体８２の第１基準ネジ座部９４とほぼ同一軸線上に位置する基準孔１１１が形成されている（図１８及び図２３参照）。また、カバー体８２より露出する制御基板８３の左縁部および下縁部の実装面８３ａには、図示しないが関連技術１と同様に各種コネクタ及びヒューズ等が配置されている。    
【００６８】
またケース体８１と制御基板８３との間には、パンチングメタル等の導電材からなるシールド板１１２が介在されている（各断面図参照）。シールド板１１２は、パチンコ球の転がり摩擦等による静電気を遮断し、その静電気による制御基板８３の電子部品への影響によるノイズの発生を防止する。またシールド板１１２には、前記ケース体８１の第１基準ボス部８４と嵌合する嵌合孔１１２ａが形成されている（図１８及び図２３参照）。    
【００６９】
次に、ケース体８１とカバー体８２の結合手順について説明する。まずカバー体８２に制御基板８３を取り付ける。詳しくは、タッピンネジあるいはビス等からなる取付ネジ１１４を制御基板８３の３箇所の各取付孔１１０を通じてカバー体８２の当該基板取付ボス部１０３にそれぞれネジ付ける（図１９、図２０及び図２４参照）。なお図１７において左上部と右下部に位置する取付ネジ１１４によりシールド板１１２が制御基板８３とともにカバー体８２に取り付けられる（図１９及び図２４参照）。    
【００７０】
前記制御基板８３を取り付けたカバー体８２をケース体８１にそのケース体前面を覆うように重ね合わせる。次に、タッピンネジあるいはビス等からなる第１基準ネジ１１５をカバー体８２の第１基準ネジ座部９４及び制御基板８３の基準孔１１１を通してケース体８１の第１基準ボス部８４にネジ付ける（図１８及び図２３参照）。さらに、タッピンネジあるいはビス等からなる第２基準ネジ１１６をカバー体８２の第２基準ネジ座部９５を通してケース体８１の第２基準ボス部８５にネジ付ける（図２２参照）。    
【００７１】
続いて封印のために、関連技術２で使用した締結ビス５３（図１３（ｂ），（ｃ）参照）を使用する。すなわち締結ビス５３をカバー体８２の２箇所の各第１取付ネジ座部９７を通してケース体８１の当該第１取付ボス部８７にそれぞれネジ付ける（図１８及び図１９参照）。この締結ビス５３の締結完了（係合部５５の欠落（図１３（ｄ）参照））により、ケース体８１とカバー体８２が締結されると同時に、締結ビス５３に対する締結解除操作が不能とされる。その後、カバー体８２の封印シール貼り付け部１０５に封印シール（図示省略９がケース体８１に跨がるように貼り付けられる。この状態で、制御基板収納ボックス８０がパチンコ機の裏カバーに前に述べたようにセットプレート９１を介して設置される。    
【００７２】
上記したパチンコ機の制御基板収納ボックス８０によると、ケース体８１とカバー体８２とが締結ビス５３による結合手段により分離不能に結合されているため、前記実施の形態２と同様に制御基板８３の不正改造を防止することができる。    
【００７３】
また当局の立ち入り検査等の場合において、カバー体８２を正当な理由の下に外したい場合には、第１基準ネジ１１５及び第２基準ネジ１１６を取り外すとともに、２箇所の第１突出片９６の開封部１０１を切断することにより、前記締結ビス５３を締め込んだままカバー体８２を簡単に取り外すことができる。そして、３箇所の取付ネジ１１４を取り外すことにより制御基板８３の実装面８３ａの検査が可能である。    
【００７４】
また、もう一度、ケース体８１とカバー体８２とを結合する場合には、カバー体８２に制御基板８３を取付ネジ１１４で取り付けた後、ケース体８１とカバー体８２とを第１基準ネジ１１５及び第２基準ネジ１１６により締結するとともに、締結ビス５３をカバー体８２の２箇所の各第２取付ネジ座部９９を通してケース体８１の当該第２取付ボス部８９にそれぞれネジ付ければ、前記と同様に再使用することができる。なお開封部１０１は、カバー体８２に代えてケース体８１の各突出片に設けることができる。また締結ビス５３による再締結回数は本形態では１回であるが、再締結のための取付ボス部及び取付ネジ座部を適宜増設し２回以上に設定してもよい。    
【００７５】
また、不正改造の目的で開封部１０１を切断した場合には、これを目視により容易に発見することができ、この意味においても間接的に不正改造の防止を図ることができる。    
【００７６】
また、不正改造の目的でケース体８１からカバー体８２が不正に取外されたとしても、未だ制御基板８３の実装面８３ａがカバー体８２により覆われているため、このままの状態ではＲＯＭ交換等の不正改造することができず、したがって制御基板８３の不正改造の防止に有効である。またカバー体８２から制御基板８３を取り外すにしても、取付ネジ１１４を取り外すといった時間のかかる手間が必要となるため、これまた不正防止に効果的である。    
【００７７】
〔実施の形態５〕  実施の形態５について図２５及び図２６を参照して説明する。本実施の形態５は実施の形態４の一部を変更したものであるからその変更部分について詳述し、実施の形態４と同一もしくは実質的に同一構成と考えられる部分には同一符号を付して重複する説明は省略する。    
【００７８】
本実施の形態５は、図２５に分解斜視図でまた図２６に平断面図で示すように、ケース体８１を裏カバーとしての樹脂製役物保護カバー１１８に一体形成したものである。役物保護カバー１１８は、遊技盤１１９の裏側の図柄表示装置１２０、役物用ソレノイド１２１、ランプソケット等を開閉可能に覆うもので、一側部にヒンジ部１２２を介して固定片１２３が連設されており、その固定片１２３が遊技盤１１９に固定ネジ１２４により取り付けられ、また他側部がロック装置（図示省略）により開閉可能に取り付けられるものである。    
【００７９】
また図２５に示すように、役物保護カバー１１８の上部には、ほぼ四角枠状をなすように断続的にスリット孔１２５が形成されている。これは、例えば図柄表示装置１２０が遊技盤１１９裏方へ大きく突出し、遊技盤１１９に役物保護カバー１１８が取り付けられない場合に有用である。すなわち前記スリット孔１２５の相互間の脆弱部（符号省略）を切断することにより、四角形状の窓部を形成し、この窓部に前記図柄表示装置１２０を位置させる。そして図柄表示装置１２０を覆う補助カバー１２６を役物保護カバー１１８にネジ止めなどにより取り付けることで、多様な遊技盤１１９に対応することが可能である。    
【００８０】
また前記制御基板８３の外部配線用コネクタ１２７は、役物保護カバー１１８側の凹部１２８とカバー体８２の位置決め兼用の突起部１２９とによって挟みこまれる。また図２６に示すように、役物保護カバー１１８のケース体部分（ケース体８１と同一符号を記す）８１には前記図柄表示装置１２０及び役物用ソレノイド１２１等につながる配線１３０の第１コネクタ１３１が取り付けられている。この第１コネクタ１３１に対応する制御基板８３の第２コネクタ１３２が制御基板８３のハンダ面８３ｂに取り付けられている。コネクタ１３１は、役物保護カバー１１８を開けた状態で、ケース体部分８１の遊技盤側に設けられたコネクタ１３３に接続する。コネクタ１３２は、その役物保護カバー１１８へのカバー体８２の取り付けと同時に、ケース体部分８１の外側（図２６下方側）に設けられたコネクタ１３４と相互に突き合わせ状に当接し、これによって制御基板８３と、図柄表示装置１２０及び役物ソレノイド１２１等との相互の電気的接続がなされる。また前記ケース
体８１にはシールド板１１２が取り付けられている。また本形態におけるカバー体８２は、制御基板８３の実装面が透かし見えるような透明あるいは半透明の樹脂材料によって形成されている。従って、カバー体８２を取り外さずに実装面の状態を見透かすことができ、これまた不正改造の発見に有利である。    
【００８１】
本実施の形態においても、実施の形態４と同様に、まず制御基板８３をカバー体８２に取付ネジ１１４により取り付けた後、そのカバー体８２が役物保護カバー１１８のケース体部分８１に締結ビス５３により取り付けられる（図２５及び図２６参照）。従って、本実施の形態によっても前記実施の形態４と同等の作用効果が得られる。また本実施の形態によると、形態４におけるケース体８１が不要となるため、部品点数及び組付け工数の削減が図れる。またカバー体８２の取付けと同時に図柄表示装置１２０等との電気的接続がなされるため、配線作業工数の削減が図れる。またケース体８１を役物保護カバー１１８に代えて裏機構板に一体形成してもよい。    
【００８２】
本発明は前記実施の形態に限定されるものではなく、本発明の要旨を逸脱しない範囲における変更が可能である。例えば結合手段としては接着剤を使用することも考えられる。また締結手段としての締結ビス４０はボルトに代えることができる。また締結解除防止手段としては、プラグ４１の他、円筒部４２に注入し硬化された接着剤でもよい。また、開封部１０１は、ケース体８１側に設けることもでき、またケース体８１とカバー体８２の両方に設けることもできる。また開封部１０１は、薄肉部を形成することによっても得られる。また熱溶接には、超音波加熱溶接の他、樹脂の熱加工に使用される熱溶接を流用することが可能である。また連結部材としては、連結ピン６０の他、ボルト、ビス等を流用することも可能である。    
【図面の簡単な説明】
【００８３】
【図１】本発明の実施の形態１を示す制御基板収納ボックスの正面図である。
【図２】図１のＸ１−Ｘ１線矢視図であって、ケース体およびカバー体の分解状態の平面図である。
【図３】ケース体およびカバー体の結合状態の平面図である。
【図４】図２のＸ２−Ｘ２線矢視図であって、ケース体の正面図である。
【図５】図２のＸ３−Ｘ３線矢視図であって、カバー体の内面図である。
【図６】図４のＸ４−Ｘ４線断面図である。
【図７】図２のＸ５−Ｘ５線断面図である。
【図８】図３のＸ６−Ｘ６線断面図である。
【図９】図２のＸ７−Ｘ７線断面図である。
【図１０】図３のＸ８−Ｘ８線断面図である。
【図１１】図１のＸ９−Ｘ９線断面図であって、ケース体とカバー体の結合部分を示す説明図である。
【図１２】プラグの別例を示す説明図である。
【図１３】実施の形態２の要部を示す説明図である。
【図１４】実施の形態３の要部を示す説明図である。
【図１５】連結部品の別例を示す正面図である。
【図１６】実施の形態２に使用した締結ビスの使用例を示す説明図である。
【図１７】実施の形態４を示す制御基板収納ボックスの正面図である。
【図１８】図１７のＸ１０−Ｘ１０線断面図である。
【図１９】図１７のＸ１１−Ｘ１１線断面図である。
【図２０】図１７のＸ１２−Ｘ１２線断面図である。
【図２１】図１７のＸ１３−Ｘ１３線断面図である。
【図２２】図１７のＸ１４−Ｘ１４線断面図である。
【図２３】図１７のＸ１５−Ｘ１５線断面図である。
【図２４】図１７のＸ１６−Ｘ１６線断面図である。
【図２５】実施の形態５を示す制御基板収納ボックスの分解斜視図である。
【図２６】同平断面図である。
【符号の説明】
【００８４】
１  ケース体２  カバー体３  制御基板３３  取付ボス部４０  締結ビス（締結手段）４１  プラグ（締結解除防止手段）４２  円筒部（筒部）４５  支持部分（支持部）５３  締結ビス（締結手段）５６  くびれ部（締結解除防止手段）５８  溶着部６０  連結ピン（連結部材）Ｂ  制御基板収納ボックス８０  制御基板収納ボックス８１  ケース体８２  カバー体８３  制御基板８３ａ  実装面